(57)【要約】【課題】測距装置の利便性を向上させる。【解決手段】測距装置１１には、送光レンズ２２乃至カラーフィルタ２５からなる照準望遠光学系が設けられ、ユーザは、カラーフィルタ２５から目標物を確認することができる。また、収納部３７には、接眼部２６に着脱可能な、特性の異なるカラーフィルタ２５が複数格納されている。カラーフィルタ２５は、各天候に対してまぶしさを軽減させ、かつコントラストを向上させる特性を有しているため、ユーザは、外部環境に適したカラーフィルタ２５を接眼部２６に装着することができる。このように、測距装置１１に対して着脱可能な、互いに特性の異なるカラーフィルタ２５を設けることで、測距装置１１の利便性を向上させることができる。本発明は、ゴルフ用のレーザ距離計に適用することができる。【選択図】図１
2010256287.tif 000002
【特許請求の範囲】
【請求項１】
目標物からの光を集光して、前記目標物の像を形成する望遠光学系と、
前記目標物に向けて測定光を射出する射出手段と、
前記目標物において反射された前記測定光を受光する受光手段と、
前記測定光の発光から受光までの時間に基づいて、前記目標物までの距離を測定する距離測定手段と、
前記望遠光学系上に配置され、まぶしさを軽減させ、かつコントラストを向上させる分光特性を有するフィルタと
を備えることを特徴とする測距装置。
【請求項２】
前記射出手段は、前記望遠光学系の一部と共通する、前記測定光を射出するための照射光学系を有し、
前記フィルタは、前記望遠光学系における前記照射光学系とは異なる位置に配置される
ことを特徴とする請求項１に記載の測距装置。
【請求項３】
前記望遠光学系を構成する光学部材を移動させることにより、視度を補正する視度補正手段をさらに備える
ことを特徴とする請求項１または請求項２に記載の測距装置。
【請求項４】
前記フィルタは、前記測距装置に対して着脱可能である
ことを特徴とする請求項１乃至請求項３の何れかに記載の測距装置。
【請求項５】
前記測距装置から取り外された前記フィルタを収納する収納部をさらに備える
ことを特徴とする請求項４に記載の測距装置。
【請求項６】
複数の前記フィルタを保持し、保持している複数の前記フィルタのうちの何れかを、前記望遠光学系上に配置する保持手段をさらに備える
ことを特徴とする請求項１乃至請求項３の何れかに記載の測距装置。
【請求項７】
前記望遠光学系上に配置されている前記フィルタを示す情報を表示する表示手段をさらに備える
ことを特徴とする請求項６に記載の測距装置。
【請求項８】
前記受光手段は、外部から入射した外部光をさらに受光し、
前記外部光の受光量に基づいて、複数の前記フィルタから、前記受光量に対して予め定められた前記フィルタを選択し、選択した前記フィルタが前記望遠光学系上に配置されるように前記保持手段を制御する制御手段をさらに備える
ことを特徴とする請求項６または請求項７に記載の測距装置。
【請求項９】
前記制御手段は、前記選択した前記フィルタを前記望遠光学系上に配置させるか、またはユーザにより指定された前記フィルタを前記望遠光学系上に配置させるかを、前記ユーザの操作に応じて切り替える
ことを特徴とする請求項８に記載の測距装置。
【発明の詳細な説明】
【技術分野】
【０００１】
本発明は測距装置に関し、特に、ゴルフの競技時に用いて好適な測距装置に関する。
【背景技術】
【０００２】
従来、ゴルフの競技時に、目標物までの距離を測定するために測距装置が用いられている。例えば、競技者は、測距装置を手に持って、測距装置に設けられた接眼部を覗き、目標物を確認する。そして、競技者は、目標物に照準を合わせて距離の測定を行う。目標物までの距離の測定は、測距装置が目標物に対してパルス状の測定光を射出し、目標物で反射されて戻ってきた測定光を受光することにより行われる（例えば、特許文献１参照）。
【０００３】
また、競技者は、まぶしさを軽減させたり、グリーン上の芝の状態をより正確に確認したりするために、カラーフィルタ機能を有するサングラスを使用することがある。
【先行技術文献】
【特許文献】
【０００４】
【特許文献１】特開２００７−１３２８５９号公報
【発明の概要】
【発明が解決しようとする課題】
【０００５】
ところが、目標物までの距離を測定しようとする場合、競技者がサングラスをかけたまま測距装置を使用すると、サングラスのレンズが接眼部に当たってしまい、距離の測定がしにくくなってしまう。
【０００６】
また、競技者がサングラスを外して測距装置を用いると、季節や天候によってはまぶしさを抑えることができなかったり、コントラストが低くなったりして、目標物を識別しにくくなってしまう。さらに、測距装置の使用時におけるコントラストの低下等により、グリーン上で芝の状態や芝目がはっきりと見えなくなり、ボールを打つ方向や力の入れ具合を適切に判断できなくなってしまうことも起こり得る。
【０００７】
また、サングラスごとにカラーフィルタ機能の特性が異なるため、競技者は、季節や天候に応じた複数種類のサングラスを所持し、状況に応じてそれらを使い分けなければならず、不便であった。
【０００８】
本発明は、このような状況に鑑みてなされたものであり、測距装置の利便性を向上させることができるようにするものである。
【課題を解決するための手段】
【０００９】
本発明の測距装置は、目標物からの光を集光して、前記目標物の像を形成する望遠光学系と、前記目標物に向けて測定光を射出する射出手段と、前記目標物において反射された前記測定光を受光する受光手段と、前記測定光の発光から受光までの時間に基づいて、前記目標物までの距離を測定する距離測定手段と、前記望遠光学系上に配置され、まぶしさを軽減させ、かつコントラストを向上させる分光特性を有するフィルタとを備えることを特徴とする。
【発明の効果】
【００１０】
本発明によれば、測距装置の利便性を向上させることができる。
【図面の簡単な説明】
【００１１】
【図１】本発明を適用した測距装置の一実施の形態の構成例を示す図である。
【図２】測距装置の外観の側面図である。
【図３】カラーフィルタの分光特性を示す図である。
【図４】カラーフィルタの分光特性を示す図である。
【図５】カラーフィルタの分光特性を示す図である。
【図６】表示部の表示例を示す図である。
【図７】カラーフィルタの装着部分の他の構成例を示す図である。
【図８】本発明を適用した測距装置の他の実施の形態の構成例を示す図である。
【図９】測距装置の外観の側面図である。
【図１０】ボタン操作受け付け処理を説明するフローチャートである。
【図１１】天候の判別について説明するための図である。
【図１２】表示部の表示例を示す図である。
【発明を実施するための形態】
【００１２】
以下、図面を参照して、本発明を適用した実施の形態について説明する。
【００１３】
〈第１の実施の形態〉
［測距装置の構成］
図１は、本発明を適用した測距装置の一実施の形態の構成例を示す図である。
【００１４】
測距装置１１は、例えば、レーザ光を利用して目標物までの距離を測定するゴルフ用の距離計である。測距装置１１の用途は、特にゴルフに限られる訳ではないが、以下では、ゴルフを行う競技者が測距装置１１を利用する場合を例として説明を続ける。
【００１５】
測距装置１１の本体２１には、外部からの光を集光して、目標物等の像を形成する照準望遠光学系が設けられており、照準望遠光学系は、送光レンズ２２、ハーフプリズム２３、EYESAFEフィルタ４０、接眼レンズ２４、およびカラーフィルタ２５−１から構成される。
【００１６】
すなわち、外部からの光（以下、外部光と称する）は、送光レンズ２２およびハーフプリズム２３を通って表示部２８で目標物等の像を結ぶ。その像からの光は、EYESAFEフィルタ４０を通って接眼レンズ２４に入射し、さらに接眼レンズ２４により集光され、カラーフィルタ２５−１を介して、競技者の目に入射する。したがって、競技者は、照準望遠光学系を介して、目標物等を視認することができる。
【００１７】
また、接眼レンズ２４は、筒形状の接眼部２６の内部に固定されており、カラーフィルタ２５−１は、目当てゴム２７−１に保持されている。目当てゴム２７−１は、接眼部２６に対して着脱可能とされており、図１の例では、目当てゴム２７−１が接眼部２６に装着された状態となっている。
【００１８】
競技者は、目当てゴム２７−１に目を当てて、接眼レンズ２４を覗き込むようにして、目標物を見ることになる。このとき、競技者は、目当てゴム２７−１を回転させることにより、視度調整を行うことができる。すなわち、目当てゴム２７−１が回転すると、目当てゴム２７−１に保持されているカラーフィルタ２５−１、目当てゴム２７−１が装着された接眼部２６、および接眼部２６に固定された接眼レンズ２４が一体となって回転する。
【００１９】
接眼部２６が本体２１に対して回転すると、図示せぬカム機構により、接眼レンズ２４乃至目当てゴム２７−１が図中、左右方向、つまり照準望遠光学系の光軸方向に移動し、これにより、いわゆるピント（視度）が調整される。測距装置１１では、カラーフィルタ２５−１が接眼部２６に装着されるような構造となっているので、カラーフィルタ２５−１が測距性能に影響を及ぼすようなこともない。
【００２０】
なお、視度補正は、接眼部２６が接眼レンズ２４を保持して移動させる方法に限らず、照準望遠光学系上の他の光学部材が、照準望遠光学系の光軸方向に移動されることで行われるようにしてもよい。
【００２１】
また、照準望遠光学系上には、透過型LCD（Liquid Crystal Display）からなる表示部２８が配置されている。この表示部２８には、測距装置１１により測定された目標物までの距離や、目標物に照準を合わせるためのレクチルなどが表示される。
【００２２】
さらに、本体２１には、CPU（Central Processing Unit）などからなり、測距装置１１全体の動作を制御する制御部２９が設けられている。例えば、制御部２９は、発光駆動部３０を制御して、目標物までの距離を測定するための測定光を発光部３１から射出（発光）させたり、目標物で反射した測定光を受光部３２が受光することにより得られた受光信号を、受光信号処理部３３を介して取得したりする。
【００２３】
測距装置１１から目標物までの距離の測定時には、ＬＤ（Laser Diode）などからなる発光部３１が、例えば可視光とは波長の異なるレーザ光を測定光として射出する。発光部３１からの測定光は、ハーフプリズム２３において反射され、さらに送光レンズ２２により集光されて、送光レンズ２２から目標物に向かって送光される。
【００２４】
なお、送光レンズ２２からハーフプリズム２３を経て発光部３１までの光路長は、送光レンズ２２から表示部２８までの光路長と同じになっている。そのため発光部３１から発光した光束は、ほぼ平行な光束となって目標物に照射される。
【００２５】
このように、測定光を射出するための照射光学系は、ハーフプリズム２３および送光レンズ２２から構成されており、照射光学系と、照準望遠光学系とは、一部において共通する光学系を有する。つまり、照準望遠光学系の一部の光学系が照射光学系とされる。
【００２６】
なお、EYESAFEフィルタ４０は、可視光の波長帯域以外の波長の光をカット（遮光）するフィルタである。これにより、ハーフプリズム２３に入射した測定光が、表示部２８、接眼レンズ２４、およびカラーフィルタ２５−１を通って競技者の目に入射してしまうことを防止することができ、競技者の目の安全が確保される。
【００２７】
このようにして目標物に向けて射出された測定光が、目標物において反射すると、反射した測定光は測距装置１１に戻ってきて、受光レンズ３４に入射する。受光レンズ３４は、入射した測定光を集光して受光部３２に入射させ、受光部３２は、入射した測定光を受光して光電変換する。そして、制御部２９は、光電変換により得られた受光信号に基づいて、目標物までの距離を測定し、その測定結果を表示部２８に表示させる。例えば、受光部３２は、アバランシェフォトダイオードなどからなる。
【００２８】
また、本体２１の外側には、測距装置１１の電源をオンしたり、測距を指示したりするときに操作される測距ボタン３５と、表示部２８に表示される目標物までの距離の単位を切り替えるときに操作されるモードボタン３６とが設けられている。
【００２９】
さらに、本体２１の接眼部２６の図中、下側には、カラーフィルタ２５−１とは異なる分光特性を有するカラーフィルタ２５−２およびカラーフィルタ２５−３を格納するための収納部３７が設けられている。
【００３０】
カラーフィルタ２５−２およびカラーフィルタ２５−３は、それぞれ目当てゴム２７−１と同形状の目当てゴム２７−２および目当てゴム２７−３に保持されている。収納部３７の内部には、突起が設けられており、これらの突起に目当てゴム２７−２および目当てゴム２７−３が装着されることで、カラーフィルタ２５−２およびカラーフィルタ２５−３が収納部３７内部に収納される。
【００３１】
なお、以下、カラーフィルタ２５−１乃至カラーフィルタ２５−３を個々に区別する必要のない場合、単にカラーフィルタ２５と称する。また、目当てゴム２７−１乃至目当てゴム２７−３を個々に区別する必要のない場合、単に目当てゴム２７と称する。
【００３２】
また、本体２１には、収納部３７を覆う蓋３８も設けられている。例えば、図２に示すように、蓋３８は、本体２１の接眼部２６側の側面に設けられている。なお、図２は、図１の本体２１を、図１中、右側から左方向に見たときの側面図を示している。
【００３３】
競技者は、必要に応じて蓋３８を開けて、所望の分光特性のカラーフィルタ２５を収納部３７から取り出して、接眼部２６に装着することができる。また、使用されていないカラーフィルタ２５は、収納部３７に収納される。このように、本体２１の接眼部２６側の側面に、収納部３７の蓋３８を設けることにより、競技者は、簡単にカラーフィルタ２５を付け替えることができる。
【００３４】
［カラーフィルタの特性］
次に、カラーフィルタ２５の分光特性について説明する。
【００３５】
カラーフィルタ２５は、主に、測距装置１１の使用時に、まぶしさを軽減させるためと、グリーンやフェアウェイなどのコースの状態をより正確に把握するために用いられる。そのため、カラーフィルタ２５は、まぶしさを軽減させ、かつ照準望遠光学系により観察される対象物のコントラストを向上させるような分光特性を有している。
【００３６】
まぶしさやコントラストは、季節や天候などの外部環境、つまり測距装置１１が使用される環境によって変化するため、測距装置１１には、外部環境ごとに、異なる分光特性のカラーフィルタ２５が複数設けられている。
【００３７】
例えば、カラーフィルタ２５−１乃至カラーフィルタ２５−３は、それぞれ図３乃至図５に示す分光特性を有している。なお、図３乃至図５において、横軸は光の波長を示しており、縦軸はカラーフィルタ２５における各波長の光の透過率を示している。
【００３８】
図３は、カラーフィルタ２５−１の分光特性を示しており、カラーフィルタ２５−１は、晴天時の使用に適したフィルタとされる。
【００３９】
一般に、まぶしさは、450nm以下の波長の光、つまり青色の波長範囲の光により知覚され、観察対象の目標物の明るさやコントラストには、明順応時に最も明るく感じられる波長、つまり550乃至555nm付近の波長の光が影響するといわれている。
【００４０】
なお、以下、まぶしさを知覚する波長帯域、例えば330nm乃至470nmの波長帯域を青色波長帯域とも称し、コントラストの知覚に影響する波長帯域、例えば520nm乃至580nmの波長帯域を視感波長帯域とも称することとする。
【００４１】
晴天時には、外部から測距装置１１の送光レンズ２２に入射する外部光の光量が多いため、カラーフィルタ２５−１により外部光の成分のうち、青色波長帯域および視感波長帯域の光を大幅にカットする。
【００４２】
具体的には、カラーフィルタ２５−１において、450nmの波長の光の透過率は約４０％とされ、550nmの波長の光の透過率は約６０％とされている。すなわち、カラーフィルタ２５−１では、青色波長帯域の光よりも、視感波長帯域の光がより多く透過する。また、カラーフィルタ２５−１においては、波長の長い光ほどより多く透過され、700nm以上の波長の光の透過率は、約９０％とされている。
【００４３】
また、図４は、カラーフィルタ２５−２の分光特性を示しており、カラーフィルタ２５−２は、曇天時の使用に適したフィルタとされる。
【００４４】
曇天時には、外部から測距装置１１に入射する外部光の光量は、晴天時よりも少ないため、カラーフィルタ２５−２においてカットされる青色波長帯域および視感波長帯域の光の光量は、カラーフィルタ２５−１の場合と較べて少なくなっている。
【００４５】
具体的には、カラーフィルタ２５−２において、450nmの波長の光の透過率は約６０％とされ、550nmの波長の光の透過率は約８０％とされている。すなわち、カラーフィルタ２５−２では、青色波長帯域の光よりも、視感波長帯域の光がより多く透過する。また、カラーフィルタ２５−２においては、波長の長い光ほどより多く透過され、700nm以上の波長の光の透過率は、約９０％とされている。
【００４６】
このように、カラーフィルタ２５−１およびカラーフィルタ２５−２では、目に刺激が強く、まぶしさやちらつきの原因となる青色波長帯域を有効的にカットすることで、晴天時や曇天時において競技者が感じるまぶしさや、ちらつきを軽減させることができる。特に、芝目の照り返しは青色の光が多いため、カラーフィルタ２５をゴルフ場等の緑の多い場所で使用すれば、より顕著な効果を得ることができる。
【００４７】
このように、まぶしさや、ちらつきが軽減されると、目標物等がより見えやすくなり、コントラストも向上したように感じられるようになる。
【００４８】
また、カラーフィルタ２５−１およびカラーフィルタ２５−２では、視感波長帯域の光を適切な量だけ透過させることで、つまり適切な光量の光を競技者の目に入射させることで、晴天時や曇天時において、コントラストを向上させることができる。
【００４９】
さらに、カラーフィルタ２５−１およびカラーフィルタ２５−２では、緑色の光、つまり495乃至470nmの波長の光よりも、黄色から赤色の光、つまり570乃至750nmの波長の光がより多く透過するようにされている。そのため、これらのカラーフィルタ２５をゴルフ場の芝など、緑の多い環境において用いれば、一種の背景強調効果によって芝のコントラストをさらに向上させることができる。
【００５０】
以上のように、カラーフィルタ２５−１およびカラーフィルタ２５−２を用いれば、競技者は、フェアウェイ上の目標物をより確実に識別することができ、また、グリーンの傾斜や芝目の方向をより確実に把握することができるようになる。したがって、例えば競技者は、グリーン上等で、ボールを打つ方向や、力の入れ具合を適切に判断することができる。
【００５１】
また、図５は、カラーフィルタ２５−３の分光特性を示しており、カラーフィルタ２５−３は、競技者が、特にまぶしさの軽減もコントラストの向上も必要ないと判断したときに用いられるフィルタとされる。
【００５２】
カラーフィルタ２５−３では、まぶしさの軽減もコントラストの向上も必要とされないので、430nm以上の波長の光の透過率は、全て約９０％とされ、430nm以下の波長の光の透過率は、波長が短くなるほど低くなるようにされる。
【００５３】
競技者が、特にまぶしさの軽減もコントラストの向上も必要ないと判断した場合には、カラーフィルタ２５を接眼部２６に装着せずに測距装置１１を使用してもよい。しかしながら、接眼部２６にカラーフィルタ２５を装着した場合と、しない場合とでは、競技者の目に入射する外部光の光路長が変化し、目標物等の見え方が変わるので、不要である場合にはカラーフィルタ２５−３を装着する方が好ましい。
【００５４】
このように、季節や天候に応じて接眼部２６に適切なカラーフィルタ２５を装着できるようにすることで、外部環境によらず簡単かつ確実にまぶしさを軽減させるとともに、コントラストを向上させることができ、測距装置１１の利便性を向上させることができる。
【００５５】
しかも、季節や天候に応じてカラーフィルタ２５を付け替えればよいため、競技者は、複数のサングラスを用意することも、サングラスをかけることも必要なくなる。
【００５６】
また、カラーフィルタ２５は、接眼部２６に装着された場合に防塵部材としても機能する。つまり、接眼部２６がカラーフィルタ２５により覆われるため、異物が接眼レンズ２４に付着したり、本体２１内部に入ったりしてしまうことが防止される。
【００５７】
さらに、測距装置１１では、カラーフィルタ２５を照準望遠光学系における、照射光学系と共通する光路に配置せず、照射光学系を構成していない光路に配置されている。これは、測定光がカラーフィルタ２５を透過すると、カラーフィルタ２５の分光特性によって、測定光のうちの特定の波長成分がカットされ、受光部３２において受光される測定光のＳ／Ｎ比（Signal to Noise ratio）が劣化してしまう恐れがあるからである。この場合、測定光のＳ／Ｎ比や波長等を考慮して、カラーフィルタ２５を含む光学系の設計が必要となり、不便である。
【００５８】
これに対して、測距装置１１では、カラーフィルタ２５を測定光が通過する光路とは異なる位置に配置することで、測定光のＳ／Ｎ比を劣化させることなく、受光信号から確実に測定光の成分を抽出することができる。
【００５９】
［測距装置の動作］
次に、測距装置１１の動作について説明する。
【００６０】
例えば、競技者は、フェアウェイ上でボールを打つにあたり、次のボールの到達目標の位置までの距離を測定するとき、測距装置１１を利用する。
【００６１】
まず、競技者は、３つのカラーフィルタ２５のうち、外部環境に最も適していると思われるカラーフィルタ２５を接眼部２６に装着する。
【００６２】
その後、競技者が、測距ボタン３５を操作して電源のオンを指示すると、制御部２９は、測距ボタン３５からの信号に応じて測距装置１１の電源をオンする。例えば、測距装置１１には、図示せぬ電池収納部が設けられており、電池収納部に装着された電池により、測距装置１１の各部に電力が供給される。
【００６３】
すると、制御部２９は、例えば図６に示すようにレクチル等を表示部２８に表示させる。図６の例では、表示部２８の図中、上側に測定された距離がメートルまたはヤードを単位として表示され、中央には、十字型のレクチルが表示され、さらに下側には電池の残量が表示されている。
【００６４】
競技者が目当てゴム２７に目を当てて本体２１内部を覗き込むと、競技者の目には、図６に示す表示とともに、照準望遠光学系により結像された外部光の像、つまり目標物等が見えるので、競技者はレクチルの中心を目標物に合わせる。このとき、競技者は、必要に応じて目当てゴム２７を回転させて、目標物やレクチルにピントが合うように視度を補正する。そして、競技者は、測距ボタン３５を操作し、目標物までの距離の測定を指示する。
【００６５】
接眼部２６には、カラーフィルタ２５が装着されているので、競技者は、目標物を見るときにまぶしく感じることもなく、目標物をはっきりと識別でき、確実に目標物に照準を合わせることができる。
【００６６】
制御部２９は、測距が指示され、測距ボタン３５から信号が供給されると、発光駆動部３０を制御し、発光駆動部３０は、発光部３１を駆動して測定光を射出させる。発光部３１からの測定光は、ハーフプリズム２３で光路変換され、送光レンズ２２により目標物に向けて送光される。
【００６７】
目標物で反射して戻って来た測定光は、受光レンズ３４により集光されて受光部３２に入射するので、受光部３２は、測定光を受光して光電変換し、その結果得られた受光信号を受光信号処理部３３に供給する。受光信号処理部３３は、供給された受光信号に対し閾値処理等を施して制御部２９に供給する。
【００６８】
制御部２９は、受光信号処理部３３からの受光信号に基づいて、測距装置１１から目標物までの距離を算出する。具体的には、測定光が発光されてから、測定光が受光されるまでの時間の長さにより距離が算出される。例えば、測定光はパルス波とされ、パルス波が受光された各時刻のうち、受光されたパルス波の数が最も多い時刻が、測定光の受光時刻とされる。
【００６９】
制御部２９は、目標物までの距離を算出すると、表示部２８を制御して距離を表示させる。このとき競技者は、モードボタン３６を操作して、距離の表示単位を選択することができる。制御部２９は、モードボタン３６からの信号に応じて、メートルまたはヤードを単位として表示部２８に距離を表示させる。これにより、競技者は、表示部２８に表示された距離を参考にして、ボールを打つことができる。
【００７０】
また、制御部２９は、一定期間、競技者による測距装置１１への操作がなかった場合、測距装置１１の電源をオフさせる。したがって、競技者は、測距装置１１の使用後、わざわざ電源をオフする必要がなく、便利である。
【００７１】
さらに、例えば、競技者のボールがグリーン上にオンしたとき、競技者は、目当てゴム２７に目を当て、本体２１内部を覗き込むことにより、グリーンの傾斜や、芝目の方向を確認することができる。この場合、目標物までの測距を行わないのであれば、特に測距装置１１の電源をオンさせる必要はない。また、競技者は、必要に応じて適切なカラーフィルタ２５を選択し、接眼部２６に装着することもできる。
【００７２】
以上のように、まぶしさを軽減させ、かつコントラストを向上させるカラーフィルタ２５を、接眼部２６に着脱可能に設けることで、測距装置１１の利便性を向上させることができる。
【００７３】
なお、測距装置１１では、目標物までの距離をより正確に測定するため、照準望遠光学系と、照射光学系とが一部に共通する光学系を有するように構成されているが、照準望遠光学系と照射光学系とは、必ずしも共通する光学系を有していなくてもよい。
【００７４】
また、カラーフィルタ２５は、例えば図７に示すように、ネジ機構により接眼部２６に着脱されるようにしてもよい。
【００７５】
図７の例では、カラーフィルタ２５は、筒形状の保持部６１に保持されており、保持部６１の端には、接眼部２６の内壁に設けられたネジと螺合されるネジ部６２が設けられている。したがって、競技者は、ネジ部６２を接眼部２６に当てて保持部６１を回転させ、ネジ部６２を接眼部２６内部にねじ込むことにより、カラーフィルタ２５を接眼部２６に装着する。また、図７の例では、目当てゴム２７は、接眼部２６の外周を覆うように、接眼部２６に固定されている。
【００７６】
〈第２の実施の形態〉
［測距装置の構成］
さらに、以上においては、競技者によりカラーフィルタ２５が付け替えられると説明したが、競技者の測距装置１１への操作により、測距装置１１が複数のカラーフィルタ２５の何れかを照準望遠光学系上に配置するようにしてもよい。
【００７７】
そのような場合、測距装置１１は、例えば、図８に示すように構成される。なお、図８において、図１における場合と対応する部分には、同一の符号を付してあり、その説明は適宜省略する。
【００７８】
図８の測距装置１１では、目当てゴム２７は、接眼部２６に固定されている。また、カラーフィルタ２５−１乃至カラーフィルタ２５−３は、円盤状のフィルタ固定リング９１の固定面に並べられて固定されており、カラーフィルタ２５の何れかが照準望遠光学系上に配置されるようになされている。
【００７９】
すなわち、制御部２９は、モータ駆動部９２を制御し、ステップモータ９３の軸を回転させることで、ステップモータ９３の軸に固定されているフィルタ固定リング９１を回転させ、所望のカラーフィルタ２５を照準望遠光学系上に配置する。
【００８０】
例えば、カラーフィルタ２５は、図９に示すように、ステップモータ９３の軸を中心とする円の円周上に並べられて固定されており、それらのカラーフィルタ２５の何れかが、照準望遠光学系上の接眼レンズ２４と、表示部２８との間に配置される。
【００８１】
このとき、制御部２９は、ステップモータ９３の軸を回転させるステップ数に基づいて、目的とするカラーフィルタ２５の中心が、照準望遠光学系の光軸位置で停止するように、フィルタ固定リング９１の回転移動を制御する。
【００８２】
なお、図８の例においても、図１における場合と同様に、カラーフィルタ２５は、目標物までの距離の測定に影響を及ぼさないように、照準望遠光学系上の照射光学系とは異なる位置に配置される。
【００８３】
また、照準望遠光学系上に配置するカラーフィルタ２５を選択する操作など、カラーフィルタ２５に関する操作は、モードボタン３６により受け付けられる。競技者は、モードボタン３６を長押しすることにより、つまり一定の時間押し続けることにより、距離表示の単位に関する操作が受け付けられる状態と、カラーフィルタ２５に関する操作が受け付けられる状態との切り替えを行うことができる。
【００８４】
また、カラーフィルタ２５に関する操作が受け付けられる状態では、競技者はモードボタン３６を操作して、手動モードとするか、または自動モードとするかを切り替えることができる。ここで、手動モードとは、競技者がモードボタン３６を操作して、所望するカラーフィルタ２５を選択することのできるモードであり、自動モードとは、測距装置１１が適切なカラーフィルタ２５を選択するモードである。
【００８５】
［測距装置の動作］
次に、図８の測距装置１１の動作について説明する。
【００８６】
測距装置１１が目標物までの距離を測定する場合、図１の例における場合と同様の動作が行われる。また、競技者が芝目などのコース状態を確認する場合も、上述したように競技者は、目を目当てゴム２７に当てて芝目の方向などを確認する。
【００８７】
なお、競技者が視度調整を行う場合、競技者は、目当てゴム２７を回転させることにより、視度を補正する。図８の測距装置１１では、目当てゴム２７および接眼レンズ２４が、接眼部２６に固定されているため、目当てゴム２７、接眼部２６、および接眼レンズ２４が一体となって回転する。すると、図示せぬカム機構により、目当てゴム２７、接眼部２６、および接眼レンズ２４が図中、左右方向に移動し、これにより視度が補正される。
【００８８】
さらに、測距装置１１は、測距装置１１の電源がオンされた状態となると、競技者のモードボタン３６への操作に応じて動作する、ボタン操作受け付け処理を開始する。以下、図１０のフローチャートを参照して、測距装置１１によるボタン操作受け付け処理について説明する。
【００８９】
ステップＳ１１において、制御部２９は、カラーフィルタ２５に関する操作を受け付けるか否かを判定する。例えば、競技者によるモードボタン３６の長押しにより、カラーフィルタ２５に関する操作が受け付けられる状態となっている場合に、カラーフィルタ２５に関する操作を受け付けると判定される。
【００９０】
ステップＳ１１において、カラーフィルタ２５に関する操作を受け付けると判定された場合、ステップＳ１２において、制御部２９は、カラーフィルタ２５を切り替えるモードが自動モードであるか否かを判定する。
【００９１】
ステップＳ１２において、自動モードであると判定された場合、ステップＳ１３において、制御部２９は、測距装置１１の外部環境、つまり現時点での天候を判別する。
【００９２】
例えば、目標物までの測距を行っていない状態では、測距装置１１の受光部３２には、外部光だけが入射する。そして、この外部光を受光することで得られる受光信号の大きさは、天候等（測距装置１１の外部の環境）により変化する。そこで、制御部２９は、受光信号処理部３３から供給された受光信号の大きさに基づいて天候を特定し、その天候、つまり外部光の受光量に対して予め定められたカラーフィルタ２５を選択する。
【００９３】
具体的には、制御部２９は、図１１に示すように、予め定められた所定の期間における受光信号の大きさ（受光レベル）の平均値を求める。なお、図１１において、横軸は時間を示しており、縦軸は受光信号の大きさ、つまり外部光の光量を示している。また、曲線Ｃ１１乃至曲線Ｃ１３は、各時刻における受光信号の大きさを示している。
【００９４】
制御部２９は、予め定められた時刻ｔ０から時刻ｔ１までの期間における受光信号の大きさの平均値を求める。そして、制御部２９は、求めた平均値と、予め定められた閾値ｔｈ１および閾値ｔｈ２とを比較して、天候を判別する。
【００９５】
例えば、制御部２９は、平均値が閾値ｔｈ２以上である場合、天候は晴天であるとして、晴天に対して予め定められたカラーフィルタ２５−１を選択する。また、制御部２９は、平均値が閾値ｔｈ１以下である場合、曇天であるとして、曇天に対して予め定められたカラーフィルタ２５−２を選択する。さらに、制御部２９は、平均値が閾値ｔｈ１より大きく、閾値ｔｈ２より小さい場合、天候は晴天でもなく曇天でもないとして、予め定められたカラーフィルタ２５−２を選択する。
【００９６】
図１１の例では、曲線Ｃ１１乃至曲線Ｃ１３は、それぞれ晴天、晴天でも曇天でもない天候、および曇天である場合における受光信号の例を示している。このように、制御部２９は、天候によって、受光部３２における外部光の受光量が変化することを利用して、現時点の天候を特定し、その天候に適したカラーフィルタ２５を選択する。
【００９７】
図１０のフローチャートの説明に戻り、ステップＳ１４において、制御部２９は、照準望遠光学系上に配置するカラーフィルタ２５を切り替える。すなわち、制御部２９は、選択したカラーフィルタ２５が照準望遠光学系上に配置されるように、モータ駆動部９２にステップモータ９３の駆動を指示する。すると、モータ駆動部９２は、その指示に応じてステップモータ９３の軸を回転させる。これにより、フィルタ固定リング９１が回転し、制御部２９により指定されたカラーフィルタ２５が、照準望遠光学系上に配置される。
【００９８】
なお、測距装置１１では、目標物までの距離の測定が行われている間は、より正確に測距するために、自動モードによるカラーフィルタ２５の切り替え、つまり天候の判別とフィルタ固定リング９１の回転動作が行われないようにしてもよい。また、表示部２８への距離の表示中にもカラーフィルタ２５の切り替えが行われないようにしてもよい。
【００９９】
ステップＳ１５において、制御部２９は、表示部２８を制御して、表示部２８に照準望遠光学系上に配置されたカラーフィルタ２５を示す情報を表示させる。これにより、例えば、図１２に示すように、表示部２８には、カラーフィルタ２５を示す情報が表示される。
【０１００】
図１２の例では、測定された距離、レクチル、および電池の残量に加えて、図中、左下に、選択されたカラーフィルタ２５を示す文字「Ａ」が表示されている。例えば、文字「Ａ」は、照準望遠光学系上に配置されたカラーフィルタ２５が、カラーフィルタ２５−１であることを示している。
【０１０１】
このように、照準望遠光学系上に配置されたカラーフィルタ２５を示す情報を表示することで、競技者は、どのカラーフィルタ２５が選択されているかを簡単かつ確実に把握することができる。
【０１０２】
ステップＳ１６において、制御部２９は、処理を終了するか否かを判定する。例えば、測距装置１１が一定時間操作されず、測距装置１１の電源がオフされる場合、終了すると判定される。
【０１０３】
ステップＳ１６において、処理を終了すると判定された場合、測距装置１１は、ボタン操作受け付け処理を終了する。
【０１０４】
これに対して、ステップＳ１６において、処理を終了しないと判定された場合、処理はステップＳ１１に戻り、上述した処理が繰り返される。
【０１０５】
また、ステップＳ１２において、自動モードではないと判定された場合、すなわち手動モードである場合、ステップＳ１７において、制御部２９は、カラーフィルタ２５の切り替えが指示されたか否かを判定する。
【０１０６】
例えば、手動モードとなっている状態で、競技者がモードボタン３６を操作して、所定のカラーフィルタ２５への切り替えを指示すると、モードボタン３６から制御部２９には、操作に応じた信号が供給される。制御部２９は、モードボタン３６から切り替えを指示する信号が供給された場合、切り替えが指示されたと判定する。
【０１０７】
ステップＳ１７において、切り替えが指示されなかったと判定された場合、処理はステップＳ１６に進み、上述した処理が繰り返される。
【０１０８】
これに対して、ステップＳ１７において、切り替えが指示されたと判定された場合、ステップＳ１８において、制御部２９は、照準望遠光学系上に配置するカラーフィルタ２５を、競技者により指示されたカラーフィルタ２５に切り替える。
【０１０９】
すなわち、制御部２９は、指示されたカラーフィルタ２５が照準望遠光学系上に配置されるように、モータ駆動部９２にステップモータ９３の駆動を指示し、モータ駆動部９２は、その指示に応じてステップモータ９３の軸を回転させる。
【０１１０】
なお、競技者によるカラーフィルタ２５の選択では、モードボタン３６が操作されるごとに、カラーフィルタ２５が順番に照準望遠光学系上に配置されるようにしてもよいし、競技者により指示されたカラーフィルタ２５そのものが配置されるようにしてもよい。
【０１１１】
競技者により指示されたカラーフィルタ２５が照準望遠光学系上に配置されると、その後、処理はステップＳ１５に進み、上述した処理が繰り返される。すなわち、新たに照準望遠光学系上に配置されたカラーフィルタ２５を示す情報が表示部２８に表示される。
【０１１２】
また、ステップＳ１１において、カラーフィルタ２５に関する操作を受け付けないと判定された場合、すなわち、距離表示の単位に関する操作が受け付けられる状態となっている場合、処理はステップＳ１９に進む。
【０１１３】
ステップＳ１９において、制御部２９は、距離をメートル単位で表示するか否かを判定する。ステップＳ１９において、メートル単位で表示すると判定された場合、ステップＳ２０において、制御部２９は、表示する距離の単位をメートルとする。そして、制御部２９は、距離を表示させる場合、表示部２８に、メートルを単位として距離を表示させる。
【０１１４】
距離の表示単位がメートルとされると、その後処理はステップＳ１６に進み、上述した処理が繰り返される。
【０１１５】
一方、ステップＳ１９において、メートル単位で表示しないと判定された場合、ステップＳ２１において、制御部２９は、表示する距離の単位をヤードとする。そして、制御部２９は、距離を表示させる場合、表示部２８に、ヤードを単位として距離を表示させる。
【０１１６】
距離の表示単位がヤードとされると、その後処理はステップＳ１６に進み、上述した処理が繰り返される。
【０１１７】
このようにして、測距装置１１は、モードボタン３６が操作されると、その操作に応じた処理を行う。
【０１１８】
また、測距装置１１では、自動モードと手動モードとを競技者の操作により切り替えることができるため、競技者は、自分の好みに合わせてモードの選択を行うことができる。
【０１１９】
例えば、手動モードでは、競技者は、分光特性の異なる複数のカラーフィルタ２５から、自分の好みや、天候に合ったものを選択することができ、便利である。これに対して、自動モードでは、競技者による操作を必要とせずに、常に天候に適したカラーフィルタ２５が選択されるので、競技者は、煩わしい操作を一切することなく、競技に集中することができる。
【０１２０】
以上のように、自動モードと手動モードを切り替えられるようにし、自動モードでは、競技者の操作によらず、天候に適したカラーフィルタ２５が選択されるようにすることで、測距装置１１の利便性を向上させることができる。
【０１２１】
なお、図８の例と比較して、図１の測距装置１１の方が、より簡単な構成とすることができ、またカラーフィルタ２５を回転移動させるための機構も必要ないので、小型化および軽量化を図ることができる。
【０１２２】
また、本発明の実施の形態は、上述した実施の形態に限定されるものではなく、本発明の要旨を逸脱しない範囲において種々の変更が可能である。
【符号の説明】
【０１２３】
１１  測距装置，  ２５−１乃至２５−３，２５  カラーフィルタ，  ２６  接眼部，  ２７−１乃至２７−３，２７  目当てゴム，  ２８  表示部，  ２９  制御部，  ３１  発光部，  ３２  受光部，  ３５  測距ボタン，  ３６  モードボタン，  ３７  収納部，  ３８  蓋，  ４０  EYESAFEフィルタ，  ９１  フィルタ固定リング，  ９３  ステップモータ
【図１】
2010256287.tif 000003
【図２】
2010256287.tif 000004
【図３】
2010256287.tif 000005
【図４】
2010256287.tif 000006
【図５】
2010256287.tif 000007
【図６】
2010256287.tif 000008
【図７】
2010256287.tif 000009
【図８】
2010256287.tif 000010
【図９】
2010256287.tif 000011
【図１０】
2010256287.tif 000012
【図１１】
2010256287.tif 000013
【図１２】
2010256287.tif 000014